(57)【特許請求の範囲】
【請求項１】
相互に異なるインターフェイスを持つ交換機と統合型アクセス装置との間に設けられ、前記交換機と前記統合型アクセス装置とを相互接続するためのインターフェイス変換を行うゲートウェイ加入者端局装置であって、
前記交換機と前記統合型アクセス装置との間を伝送されるＤＳ０信号からＴＲ−００８とＴＲ−３０３又はＧＲ−３０３との一方の形式のシグナリング情報を抽出し、抽出したシグナリング情報をＴＲ−００８とＴＲ−３０３又はＧＲ−３０３との他方の形式に変換し、変換されたシグナリング情報を前記ＤＳ０信号に挿入するシグナリング変換部を含み、
前記ＴＲ−３０３又はＧＲ−３０３形式のシグナリング情報は３ミリ秒毎に出力される４ビットパターンで表現され、
前記ＴＲ−００８形式のシグナリング情報は１．５ミリ秒毎に出力される２ビットパターンで表現され、
前記シグナリング変換部は、ＴＲ−００８形式のシグナリング情報を３ミリ秒間に出力される２つの２ビットパターンに変換することによってＴＲ−００８形式のシグナリング情報をＴＲ−３０３又はＧＲ−３０３形式のシグナリング情報に変換する
ゲートウェイ加入者端局装置。
【請求項２】
相互に異なるインターフェイスを持つ交換機と統合型アクセス装置との間に設けられ、前記交換機と前記統合型アクセス装置とを相互接続するためのインターフェイス変換を行うゲートウェイ加入者端局装置であって、
前記交換機と前記統合型アクセス装置との間を伝送されるＤＳ０信号に含まれたＩＳＤＮ Ｄ＋チャネル上のオーバヘッド情報を抽出する手段と、抽出されたオーバヘッド情報のプロトコルをＴＲ−００８とＴＲ−３０３又はＧＲ−３０３との間で変換するＩＳＤＮオーバヘッド変換部とを含む
ゲートウェイ加入者端局装置。
【請求項３】
電話，モデム，ＩＳＤＮのうちの少なくとも１つを加入者として収容し且つＴＲ−００８インターフェイスを実装する統合型アクセス装置を収容するとともに、前記加入者をＴＲ−３０３又はＧＲ−３０３インターフェイスを実装する交換機に接続する
請求項１又は２に記載のゲートウェイ加入者端局装置。
【請求項４】
前記統合型アクセス装置との間の伝送路障害を検出する障害検出部と、
検出した障害を前記交換機に通知される加入者サービス状態情報に変換するサービス状態情報変換部とをさらに含み、
前記加入者サービス状態情報は前記交換機に通知される
請求項１から３の何れか一項に記載のゲートウェイ加入者端局装置。
【発明の詳細な説明】
【０００１】
【発明の属する技術分野】
本発明は、相互に異なるインターフェイスを持つ統合型アクセス装置と交換機との間に設けられるゲートウェイ加入者端局(DLC: Digital Loop Carrier)装置に関する。
【０００２】
【従来の技術】
図１１(Ａ)は、従来の加入者系ネットワークの構成を示す図である。図１１(Ａ)において、加入者端局装置(RDT: Remote Digital Terminal)が、光ファイバ等のディジタル伝送施設(Transmission Facility)を介して市内交換機(交換局(CO: Central Office))に接続されている。
【０００３】
加入者端局装置は、市内交換機より遠方に位置し、距離の問題によって市内交換機に直接収容できない電話機等の加入者端末を収容する。加入者端局装置は、交換機インターフェイス(相互接続インターフェイス)規格の一つである Telcordia(旧Bellcore) ＴＲ−００８に準拠している(以下、ＴＲ−００８に準拠した加入者端局装置を、「ＴＲ−００８ＲＤＴ」と表記することもある)。一方、交換機もＴＲ−００８に準拠している。
【０００４】
ＴＲ−００８ＲＤＴは、最大で９６本の電話加入者線をディジタル信号(ＤＳ０(Digital Signal level 0)信号)に夫々変換し、ＴＲ−００８ＲＤＴは、変換されたＤＳ０信号を２４の加入者毎にまとめ、最大４本(予備を含めると５本)のＤＳＸ−１又はＴ１信号(ＤＳ１)に多重し、このＤＳＸ−１又はＴ１信号をディジタル伝送施設を通じて市内交換機へ搬送する。ＴＲ−００８は、交換機とＲＤＴとの間について、固定されたタイムスロットの割り当て方式を基本的に採用する。
【０００５】
近年、伝送路帯域の効率的利用，標準化された運用及び管理，収容可能な加入者の拡大といった目的下で、ＴＲ−００８に代わる規格としてのＴＲ−３０３又はＧＲ−３０３に準拠する交換機及びＲＤＴ(以下、ＴＲ／ＧＲ−３０３に準拠するＲＤＴを「ＴＲ／ＧＲ−３０３ＲＤＴ」と表記することもある)が普及している。
【０００６】
ＴＲ／ＧＲ−３０３ＲＤＴは、集線(Concentration)機能によって、最大２０４８本の電話加入線を、最大２８本のＤＳＸ−１又はＴ１信号(ＤＳ１)に割り当てる(タイムスロット割当を行う)。このＴＲ／ＧＲ−３０３ＲＤＴによって提供されるサービスの主流は音声であり、ＴＲ／ＧＲ−３０３ＲＤＴが適用されるネットワークの構成は、ＴＲ−００８ＲＤＴが適用されるネットワークの構成と大凡同じである。
【０００７】
ところで、最近、インターネットを中心とするデータ(パケット)通信に対する需要が高まり、統合型アクセス装置(IAD:Integrated Access Device)と呼ばれる加入者端局装置が開発されている。統合型アクセス装置は、データ系及び従来の電話サービスを収容する、小容量（最低で１つのＤＳＸ−１又はＴ１、即ち最低２４のＤＳ０)タイプの加入者端局装置である。
【０００８】
統合型アクセス装置は、一般に、大容量の装置の設置をコストの面から敬遠するが所定以上の伝送帯域が必要な小規模事業所/オフィス(Small Business/Office)に導入される。全ての統合型アクセス装置は、交換機インターフェースとしてＴＲ−００８をサポートしている。
【０００９】
ＴＲ−３０３は、多数の加入者を収容する目的で開発された為、ＴＲ−３０３が装置に実装される場合、大規模かつ複雑なハードウェア及びファームウェアの搭載が必要である。これに対し、ＴＲ−００８の実装は、小規模かつ簡単なハードウェアもしくはファームウェアで実現できる。
【００１０】
【発明が解決しようとする課題】
統合型アクセス装置は、ＴＲ−００８が実装された電話（モデム含む）およびＩＳＤＮ加入者を収容し、これらをＴＲ−００８をサポートする交換機に接続するための構成しか有していない。即ち、統合型アクセス装置はＴＲ−００８しかサポートしていない。このため、図１１(Ｂ)に示すように、ＴＲ／ＧＲ−３０３のみをサポートする交換機に相互接続し、この交換機からのサービスを電話等に提供することができなかった。
【００１１】
また、本発明の目的は、相互に異なるインターフェイス規格に準拠した統合型アクセス装置と交換機との間のインターフェイス変換を行うゲートウェイ加入者端局装置を提供することである。
【００１２】
【課題を解決するための手段】
本発明は、上記した目的を達成するため以下の構成を採用する。
【００１３】
即ち、本発明は、相互に異なるインターフェイスを持つ交換機と統合型アクセス装置との間に設けられ、前記交換機と前記統合型アクセス装置とを相互接続するためのインターフェイス変換を行うゲートウェイ加入者端局装置である。
【００１４】
本発明によると、インターフェイス変換によって交換機と統合型アクセス装置とを相互接続できる。これによって、統合型アクセス装置に収容された加入者が、交換機からのサービスを利用可能になる。
【００１５】
本発明において、ゲートウェイ加入者端局装置は、電話，モデム，ＩＳＤＮのうちの少なくとも１つを加入者として収容し且つＴＲ−００８インターフェイスを実装する統合型アクセス装置を収容し、前記加入者をＴＲ−３０３又はＧＲ−３０３インターフェイスを実装する交換機に接続する。
【００１６】
本発明によるゲートウェイ加入者端局装置は、加入者線信号(シグナリング)方式をＴＲ−００８とＴＲ−３０３又はＧＲ−３０３との間で変換するシグナリング変換部を含むように構成するのが好ましい。
【００１７】
また、本発明によるゲートウェイ加入者端局装置は、ＤＳ０信号に含まれたＩＳＤＮ＋Ｄチャネル上のオーバヘッド情報のプロトコルをＴＲ−００８とＴＲ−３０３又はＧＲ−３０３との間で変換するＩＳＤＮオーバヘッド変換部をさらに含むように構成するのが好ましい。
【００１８】
さらに、本発明によるゲートウェイ加入者端局装置は、前記統合型アクセス装置と前記加入者端局装置との間の伝送路障害を検出する障害検出部と、検出した障害を前記交換機に通知される加入者サービス状態情報に変換するサービス状態情報変換部とをさらに含み、前記加入者サービス状態情報は前記交換機に通知されるように構成するのが好ましい。
【００１９】
【発明の実施の形態】
〔本発明の経緯〕
統合型アクセス装置は、最近普及しつつあるｘＤＳＬ技術を利用して音声サービスとデータサービスとを１つのプラットフォームで提供する装置である。統合型アクセス装置は、主として小規模な事務所に設置される。統合型アクセス装置は、一般的に、音声サービスについてＴＲ−００８をサポートしている。
【００２０】
ＴＲ−００８は、公衆回線網では旧式の方式であるが、ハードウェアやファームウェアが小型且つ簡素である。統合型アクセス装置は、装置の小型化や低コスト化が大きな要件となるため、ＴＲ−００８を採用するのが最適である。
【００２１】
近年では、公衆回線網がＴＲ−００８からＴＲ／ＧＲ−３０３に移行している。これは、特にＣＬＥＣと呼ばれる新興の電話会社に顕著である。統合型アクセス装置は、ＴＲ−００８をサポートしているが、ＴＲ／ＧＲ−３０３をサポートしていない。このような統合型アクセス装置は、ＴＲ／ＧＲ−３０３が採用された公衆回線網(交換機)に直接接続することができない。
【００２２】
統合型アクセス装置がＴＲ／ＧＲ−３０３をサポートしていない理由は以下のように考えられる。元来、統合アクセス装置にとって、音声サービスは、「おまけ」的な扱いであり、音声サービスによるコスト上昇や装置の大型化は回避されなければならない。また、統合アクセス装置は、数人の加入者を収容する目的で構成されている。
【００２３】
これに対し、ＴＲ／ＧＲ−３０３は、大容量の加入者(２０００以上)を収容することによってハードウェア及びファームウェアの大型化や複雑化を相殺する(加入者１人あたりのコストを低減する)。
【００２４】
このため、ＴＲ／ＧＲ−３０３をサポートするハードウェア及びファームウェアを統合アクセス装置に実装することは不適である。なぜなら、実装すると、装置の大型化やコストの上昇を招くからである。音声サービスは、統合型アクセス装置にとって「おまけ」であるが、公衆回線網による音声サービスは、エンドユーザにとって従来通り重要である。
【００２５】
一方、統合型アクセス装置がＴＲ／ＧＲ−３０３をサポートしないならば、ＴＲ／ＧＲ−３０３をサポートする加入者端局装置(ＴＲ／ＧＲ−３０３ＲＤＴ)を導入することが考えられる。
【００２６】
しかしながら、統合型アクセス装置の導入者は、小規模な事務所であるため、２０００以上の加入者を収容することによってコスト的に最適となるＴＲ／ＧＲ−３０３ＲＤＴを導入することは考えられない。以上のことから、統合型アクセス装置に収容される音声加入者は、ＴＲ−３０３の公衆回線網に直接接続できない状態が継続すると考えられる。
【００２７】
次に、ＴＲ−００８とＴＲ−３０３との違いについて詳細に述べる。ＴＲ−００８をサポートする統合型アクセス装置(ＴＲ−００８ＩＡＤ)は、ＴＲ−３０３をサポートする交換機(ＴＲ−３０３交換機)に物理的に接続することができる。
【００２８】
但し、両者が伝送信号インターフェイスにＤＳ１を使用し且つＤＳ０に分割されていなければならない。しかしながら、両者が物理的に接続できたとしても、正常なサービスを提供することはできない。なぜなら、ＴＲ−００８とＴＲ−３０３には、以下の(１)〜(３)に示す決定的な違いがあるからである。
(１)加入者線信号(シグナリング：Signaling)方式
シグナリングは、電話機の状態(例えば、オンフック／オフフック)やダイヤル情報を交換機に通知する方式である。交換機は、電話線を直接収容する場合には、電話線(普通の電話サービスでは２ワイヤ)がループ(Loop)を形成したかこのループが開放されたかを直接監視する(これは、Loop Start と呼ばれるシグナリング方式の場合で、交換機がどのように電話線を監視するかはシグナリング方式に依存する)。これによって、交換機は電話機の状態を知ることができる。
【００２９】
これに対し、電話機と交換機との間に加入者端局装置又は統合アクセス装置が介在する場合には、交換機は電話線を直接収容することができない。このため、加入者端局装置又は統合アクセス装置からシグナリングによって電話機の状態を教えてもらう必要がある。
【００３０】
ここで、ＴＲ−００８は、ＤＳ０の所定ビットにシグナリングビットを割り当てる(ＤＳ０(音声データ)にシグナリングビットを上書きする)方式(“Robbed Bit Signaling”と呼ばれる)を採用している。この点では、ＴＲ−００８とＴＲ−３０３とは同じである。
【００３１】
しかしながら、ＴＲ−００８は、Robbed Bit Signaling として、１．５ｍｓｅｃ[ミリ秒]周期で“Ａ”及び“Ｂ”の２ビットを規定する。これに対し、ＴＲ−３０３は、Robbed Bit Signaling として、３ｍｓｅｃ周期で“Ａ”,“Ｂ”,“Ｃ”,及び“Ｄ”の４ビットを規定する。即ち、ＴＲ−００８は、２ビットで４状態しか表現できない。これに対し、ＴＲ−３０３は、４ビットで１６状態を表現する。
【００３２】
ＴＲ−３０３はＴＲ−００８より後で作成された規格であり、ＴＲ−３０３の機能は、ＴＲ−００８より多くの状態を表現できるように拡張されている。これは、ＴＲ−３０３をＴＲ−００８に変換する場合に、変換できないパターンが存在することを意味する。
【００３３】
最も一般的なＰＯＴＳ(Plain Old Telephone Service：黒電話サービス)を例として説明する。ＰＯＴＳは、ＴＲ−００８では、シングルパーティ(Single Party)と呼ばれるシグナリング種別で識別される。図１(Ａ)は、ＰＯＴＳにおけるＴＲ−００８シグナリングを示す表であり、図１(Ｂ)は、ＰＯＴＳのＴＲ−３０３シグナリングを示す表である。
(１−１)ＰＯＴＳについてのＴＲ−００８とＴＲ−３０３との相互変換
(Ａ)交換機から受信する方向
ＴＲ−００８のチャネルテスト(Channel Test)は、保守用に交換機に接続される試験装置が指示するものであるため考慮しない(ＴＲ−３０３では使用しない)。
【００３４】
図１(Ａ)及び図１(Ｂ)に示すように、ＴＲ−００８のＦｏｒｗａｒｄ Ｄｉｓｃｏｎｎｅｃｔは、ＴＲ−３０３のＬＣＦＯに変換することができる。また、ＴＲ−００８の−Ｒ Ｒｉｎｇｉｎｇは、ＴＲ−３０３の−Ｒ Ｒｉｎｇｉｎｇに変換することができる。さらに、ＴＲ−００８のＩｄｌｅは、ＴＲ−３０３のＬＣＦに変換することができる。これに対し、ＴＲ−００８は、ＴＲ−３０３のＤＳ０ ＡＩＳ，ＤＳ０ ＲＡＩ，ＲＬＣＦに夫々対応する状態を有していない。
(Ｂ)交換機へ送信する方向
図１(Ａ)及び図１(Ｂ)に示すように、ＴＲ−００８のＯｎ-Ｈｏｏｋは、ＴＲ−３０３のＬＯに変換することができる。また、ＴＲ−００８のＯｆｆ-Ｈｏｏｋは、ＴＲ−３０３のＬＣに変換することができる。さらに、ＴＲ−００８の Ｕｎｅｑｕｉｐｐｅｄは、ＴＲ−３０３の ＤＳ０ ＡＩＳに変換することができる。これに対し、ＴＲ−００８は、ＴＲ−３０３のＤＳ０ ＲＡＩに対応する状態を有していない。
【００３５】
さらに、ＴＲ−００８のシグナリングサイクルは、１．５ｍｓｅｃであるのに対し、ＴＲ−３０３のシグナリングサイクルは３ｍｓｅｃである。このように、ＴＲ−００８のシグナリングが確定する周期は、ＴＲ−３０３のそれと異なる。このため、両者を単純に置き換えるだけでは交換機によるサービスを利用することはできない。
(２)呼制御方式
呼制御は、交換機と加入者端局装置又は統合型アクセス装置との間でタイムスロット接続(サービス開始)又は切断(サービス終了)を行う制御である。ＴＲ−００８は、基本的にタイムスロットを常時接続する。
【００３６】
これに対し、ＴＲ−３０３は、ＴＭＣと呼ばれるデータリンクにより、加入者が発呼(Off-Hook)した時点でタイムスロットを接続する。これによって、ＴＲ−３０３は帯域の有効利用を図る。加入者が発呼すると、ＴＭＣ上にＳＥＴＵＰと呼ばれるメッセージが交換機に送信される。その後、交換機からのタイムスロット接続要求(ＣＯＮＮＥＣＴメッセージ)を加入者が受信することによって、タイムスロットが接続される。その後、ＤＳ０にてシグナリングの送受信が可能になる。
【００３７】
ここで問題になるのは、ＰＯＴＳを例にとると、ＴＲ−３０３では、電話線のループが閉じること(ＬＣ：Loop Closure)の検出によって加入者の発呼が検出され、ＳＥＴＵＰが送信される。これに対し、ＴＲ−３０３は、加入者端局装置のように加入者の電話線を直接収容していない場合においてＳＥＴＵＰを送信する契機を規定していない。従って、ＴＲ−００８／ＴＲ−３０３変換が行われるとき、どのような契機でＳＥＴＵＰを送信するかを規定する必要がある。
(３)監視・制御方式
ＴＲ−００８は、自局で伝送路障害を検出した場合にＤＳ１(ＳＬＣ９６)データリンクでそれを通知(「対局警報」と呼ばれる)することを除き、監視・制御を行うことを特に規定していない。
【００３８】
一方、ＴＲ−３０３は、ＥＯＣと呼ばれるデータリンクを用いた監視・制御を規定している。ＴＲ−３０３ ＥＯＣによる監視・制御方式は、ＴＲ−３０３ Ｓｕｐｐｌｅｍｅｎｔ ３で規定されるＣＭＩＳＥ情報モデル(Information Model)にて定義されている。
【００３９】
この定義によれば、ＴＲ−３０３ ＥＯＣによる監視・制御は、加入者端局装置の物理的なリソース(例えば電話線)がマネージド・オブジェクト(Managed Object)と呼ばれる抽象モデルにマッピングされ、この抽象モデルに対する各種操作が実行されることによって実現される。
【００４０】
ＴＲ−００８／ＴＲ−３０３変換を行うにあたり、ＩＳＤＮ機能の変換が最も困難である。ＴＲ−００８に収容されるＩＳＤＮは、正確には、ＴＲ−３９７と呼ばれる別の規格に準拠する必要がある。
【００４１】
ＴＲ−３９７におけるＩＳＤＮ監視・制御は、Ｕ点(ISDN Line Cardと加入者宅のNT1との間の物理インターフェイス)上に割り当てられたオーバ・ヘッド情報に含まれたeoc及びIndicator Bitsと呼ばれるビット志向の(Bit Orientedな)データ・リンクによって行われる。
【００４２】
ＴＲ−３０３は、ＩＳＤＮのマネージド・オブジェクトとして、isdnLineTermination，及び isdnFramedPathTermination を定義しており、これらのマネージド・オブジェクトに定義される属性(Attribute), 及びマネージド・オブジェクトに対する操作を規定している。
【００４３】
しかしながら、これをＴＲ−００８のeoc/Indicator Bits に直接変換できない場合がある。例えば、ＴＲ−３０３交換機からＩＳＤＮのＵ点を接続依頼(Ｍ−ＣＲＥＡＴＥ)されたり、削除依頼(Ｍ−ＤＥＬＥＴＥ)されたりした場合には、ＴＲ−００８でどのように変換するかの規定がない。ＴＲ−００８は、常時接続されていることを前提とするため、接続(Create)及び削除(Delete)の概念がないからである。接続(Create)はサービスの開始を意味し、削除(Delete)はサービスの停止を意味する。削除(Delete)された場合には、課金が停止されるので、何もしない訳にはいかない。
【００４４】
また、ＴＲ−３０３で規定されている属性(Attribute)の中には、ＴＲ−００８で規定されていないものがある。例えば、primaryServiceState, secondryServiceState, channelSelection 等である。これらの属性をＴＲ−００８上でどのように変換するのかについては規定がない。
【００４５】
さらに、ＴＲ−００８(Ｔ−３９７ eoc)でＵ点のパフォーマンス・モニタリング(Performance Monitoring)データを収集すると、非常に時間がかかる。このため、ＴＲ−３０３を単純にＴＲ−００８に変換するだけでは性能的な問題が発生する。
【００４６】
一方、ＩＳＤＮ以外のケースでは、加入者端局装置と統合型アクセス装置間の伝送路障害が発生した場合、どのように交換機に見せるかという問題がある。ＴＲ−３０３は電話線を直接収容することを前提とする。このため、ＴＲ−３０３は、電話線を直接収容せず、ＤＳ１上のＤＳ０という形式で収容してＤＳ１に障害が発生した場合にどのように(どのマネージド・オブジェクトに対し、どのようなAttributeで)通知するかについて規定していない。ＤＳ１に障害が発生した場合には、呼制御(即ち、サービス)に影響が及ぶため、何もしない訳にはいかない。
【００４７】
〔本発明の実施形態〕
以下、ＴＲ−００８とＴＲ／ＧＲ−３０３との変換(交換機インターフェイスの変換)にあたり、上記した問題を解決する交換機インターフェイス変換装置，この変換装置が搭載された加入者端局装置の実施形態を図面を参照して説明する。なお、実施形態の構成は例示であり、本発明は実施形態の構成に限定されるものではない。
【００４８】
〈実施形態の構成〉
図２は、本発明によるインターフェイス変換装置が搭載されたゲートウェイ加入者端局装置１００の実施形態を示す図である。加入者端局装置１００は、ＴＲ−００８に準拠した統合型アクセス装置(ＴＲ−００８ＩＡＤ)１１０と、ＴＲ／ＧＲ−３０３に準拠した交換機(ＴＲ／ＧＲ−３０３交換機)１２０との間に設けられ、これらと通信回線を通じて接続される。
【００４９】
加入者端局装置１００は、統合型アクセス装置１１０からの通信回線を収容するＩＡＤ間伝送信号終端部Ａと、ＩＡＤ間伝送信号終端部Ａに接続されたＤＳ０分離／多重部Ｂと、ＩＡＤ間伝送信号終端部Ａに接続されたシグナリング変換部Ｃと、ＤＳ０分離／多重部Ｂ及びシグナリング変換部Ｃに接続された加入者接続部Ｄと、加入者接続部Ｄに接続されたＴＲ−３０３ＲＤＴ部Ｅと、ＴＲ−３０３ＲＤＴ部Ｅ及び加入者接続部Ｄに接続された交換機間伝送信号終端部Ｆと、ＤＳ０分離／多重部Ｂに接続されたＩＳＤＮ ＯＨ終端部Ｇと、ＩＡＤ間伝送信号終端部Ａ及びＩＳＤＮ ＯＨ終端部Ｇに接続されたＥＯＣ変換部Ｈとを備えている。ＥＯＣ変換部Ｈは、交換機間伝送信号終端部Ｆに接続されており、交換機間伝送信号終端部Ｆは、通信回線を通じて交換機１２０に接続されている。
【００５０】
ＩＡＤ間伝送信号終端部Ａは、統合型アクセス装置１１０と加入者端局装置１００との間の伝送信号を終端する。ＩＡＤ間伝送信号終端部Ａは、ＳＯＮＥＴ、ＤＳ３、Ｔ１等の伝送信号インターフェイスを有し、最終的にＤＳ１を終端する。  ＩＡＤ間伝送信号終端部Ａは、統合型アクセス装置１１０と加入者端局装置１００との間の伝送路の障害を検出する。また、ＩＡＤ間伝送信号終端部Ａは、ＤＳ１データ・リンクを終端する。さらに、ＩＡＤ間伝送信号終端部Ａは、終端されたＤＳ１信号から ＴＲ−００８の Robbed Bit Signaling情報をＤＳ０毎に抽出する。
【００５１】
ＤＳ０分離／多重部Ｂは、ＩＡＤ間伝送信号終端部Ａで終端されたＤＳ１を複数の(２４の)ＤＳ０に分離する。このとき、分離されたＤＳ０が、回線種別がＩＳＤＮで且つそのチャネルがＤ＋とユーザによって設定されたＤＳ０である場合には、ＤＳ０分離／多重部Ｂは、そのＤ＋チャネルをＤチャネルとオーバ・ヘッド情報とに分離する。
【００５２】
シグナリング変換部Ｃは、ＩＡＤ間伝送信号終端部Ａで抽出された ＤＳ０毎のRobbed Bit Signaling情報をＴＲ−３０３のRobbed Bit Signaling情報に変換する。このシグナリング変換処理は、ユーザによって設定されたＤＳ０毎の回線種別及びシグナリング種別を必要とする。即ち、シグナリング変換処理は、回線種別がアナログの場合のみイネーブルされ、抽出されたRobbed Bit Signaling情報をどのように変換するかはシグナリング種別に依存する。シグナリング変換処理については後述する。変換されたRobbed Bit Signaling情報は、対応するＤＳ０に挿入される。
【００５３】
加入者接続部Ｄは、分離された複数のＤＳ０をＤＳ０分離／多重部Ｂから受け取り、各ＤＳ０をＴＲ−３０３ＲＤＴ部Ｅが有する複数の加入者ポート(ＣＲＶ：Call Reference Value)のいずれに接続するかを決定する。即ち、加入者接続部Ｄは、各ＤＳ０に割り当てられるＣＲＶ番号を指定する。ＤＳ０をどのＣＲＶに接続するかは、ユーザによって設定される。
【００５４】
ＴＲ−３０３ＲＤＴ部Ｅは、ＣＲＶ番号が指定されたＤＳ０に対し、交換機１２０との間で、ＴＲ／ＧＲ−３０３に従った呼制御および監視制御を実施する。ＴＲ−３０３ＲＤＴ部Ｅは、呼制御をＴＭＣデータ・リンクを介して行い、交換機により指定されたＣＲＶを指定されたＤＳ１／ＤＳ０に接続する処理を行う。監視制御はＥＯＣデータ・リンクを介して行う。
【００５５】
交換機間伝送信号終端部Ｆは、加入者端局装置１００と交換機１２０との間の伝送信号を終端する機能を示し、ＴＲ−３０３ＲＤＴ部Ｅから出力される２４本のＤＳ０をＤＳ１にフレーミングし、その後、ＤＳ１を必要な伝送信号インターフェース(例えば、ＳＯＮＥＴ)に多重する。
【００５６】
ＩＳＤＮ ＯＨ終端部(ＩＳＤＮオーバヘッド終端部)Ｇは、ＤＳ０分離／多重部Ｂで抽出されたＩＳＤＮオーバヘッド情報を終端し、このオーバヘッド情報中のeoc及びIndicator Bitsを抽出する。なお、ＩＳＤＮオーバヘッド終端部Ｇは、下り方向(交換機１２０から受信する方向)についてはeoc及びIndicator Bitsを挿入する。
【００５７】
ＥＯＣ変換部Ｈは、交換機１２０からのＥＯＣメッセージを解釈及び生成するとともに、ＥＯＣメッセージの解釈及び生成に必要な情報を管理する。ＥＯＣ変換部Ｈは、ＩＡＤ間伝送信号終端部Ａで検出される伝送路障害情報を、加入者接続部Ｄで指定されるＣＲＶのサービス状態情報として管理する。ＣＲＶのサービス状態情報は、交換機１２０に通知される。
【００５８】
また、ＥＯＣ変換部Ｈは、ＩＳＤＮオーバヘッド終端部Ｇで抽出されるIndicator Bitsを、ＩＳＤＮ ＣＲＶに対するネットワーク方向(交換機１２０へ送信する方向)のオーバヘッド(NT1端末や加入者線)状態情報として管理する。オーバヘッド状態情報は、交換機１２０に通知される。eocは主として交換機からの保守に使用される。ＥＯＣ変換部Ｈは、交換機１２０から受信したＥＯＣメッセージを解釈し、それをeocに変換する。
【００５９】
〈シグナリング変換〉
シグナリング変換部Ｃは、以下のようにしてＴＲ−００８とＴＲ−３０３との間のシグナリング変換(ＴＲ−００８／ＴＲ−３０３変換)を実行する。即ち、シグナリング変換部Ｃは、ＴＲ−００８の２サイクル(３ミリ秒)間にＡＢパターンを２回表現する。即ち、シグナリング変換部Ｃは、ＡＢＡ’Ｂ’パターンを表現する。ＡＢは今回のサイクルのパターンで、Ａ’Ｂ’パターンは次のサイクルのパターンである。
【００６０】
３ミリ秒は、ＴＲ−３０３のＡＢＣＤパターンが確定する周期に一致する。これによって、ＴＲ−００８とＴＲ−３０３との間のシグナリングサイクルの不一致を解消することができる。従って、ＡＢＣＤパターンからＡＢパターンへの変換(下り方向)，及びＡＢパターンからＡＢＣＤパターンへの変換(上り方向)が可能になる。
【００６１】
これによると、交換機１２０に対する送信及び受信の双方において、システム動作の開始直後から３ミリ秒経過しないと変換後のシグナリング状態(コード)が確定しない。しかしながら、ＴＲ−３０３は集線方式の呼制御を使用する。即ち、ＴＲ−３０３では、タイムスロットは通常未接続状態であり、交換機１２０と加入者端局装置１００間でシグナリングは導通していない。このため、上記した３ミリ秒は問題とならない。変換後のシグナリング状態が確定すれば、以降は遅延なくシグナリング変換が可能である。
【００６２】
変換できないパターン，即ち、ＴＲ−００８で規定されていないＴＲ−３０３のシグナリング状態(コード)は、その変換によって少なくとも影響がでないＴＲ−００８のコードに変換される，あるいは、そのＴＲ−３０３のコードが実質的に無視される。
【００６３】
シグナリング種別がＰＯＴＳである場合を例として説明する。交換機１２０から受信されたＰＯＴＳのコードがＤＳ０ ＡＩＳ及びＲＬＣＦである場合には、シグナリング変換部Ｃは、これらを変換によって少なくとも影響が発生しないＴＲ−００８のＩｄｌｅに変換する。
【００６４】
これに対し、ＰＯＴＳのコードがＤＳ０ ＲＡＩである場合には、シグナリング変換部Ｃは、これを実質的に無視するため、変換処理を行わず、１サイクル前のコードを送出する。このため、シグナリング変換部Ｃは、１サイクル前のコードを記憶する。
【００６５】
一方、交換機１２０へシグナリングが送信される場合、シグナリング変換部Ｃは、変換対象のシグナリング(コード)がＴＲ−００８で未定義のコードである場合には、このコードを変換せず、１サイクル前のコードを送出する。
【００６６】
また、交換機１２０へＤＳ０ ＲＡＩを送信する場合には、シグナリング変換部Ｃは、交換機１２０からＤＳ０ ＡＩＳを受けとった時点で、交換機１２０方向へのシグナリングをＤＳ０ ＲＡＩのコードに上書きする。
【００６７】
図３及び図４は、ＰＯＴＳを含む複数のサービスに夫々対応するＴＲ−００８／ＴＲ−３０３変換の具体的な変換表を示す。図３は、下り方向(交換機１２０→統合型アクセス装置１１０)へシグナリングが伝送される場合の変換表(ＡＢＣＤパターンからＡＢパターンへの変換表)であり、図４は、上り方向(統合型アクセス装置１１０→交換機１２０)へシグナリングが伝送される場合の変換表(ＡＢパターンからＡＢＣＤパターンへの変換表)である。
【００６８】
シグナリング変換部Ｃは、図３及び図４に示した変換表に従って、シグナリング状態(コード)を変換し、出力する。出力されたコード(ビット列)は、対応するＤＳ０に上書きされる。
【００６９】
〈呼制御方式変換〉
ＴＲ−３０３ＲＤＴ部Ｅは、ＴＲ−００８とＴＲ−３０３との呼制御方式の違いを解消するため、ＤＳ０を加入者端局装置１００に直接収容された電話線と同等に扱う。即ち、ＴＲ−３０３ＲＤＴ部Ｅは、加入者接続部Ｄから上り方向のＤＳ０に対応するシグナリング状態(コード)を参照し、そのコードがオフフック(Off-Hook)状態を意味するパターンであった場合には、これを加入者からの発呼とみなし、ＴＭＣ上にＳＥＴＵＰを送出する。
【００７０】
このように、ＴＲ−３０３ＲＤＴ部Ｅは、オフフックパターンのシグナリングの検出を契機として、交換機１２０にＳＥＴＵＰを送出し、タイムスロットを加入者端局装置１００と交換機１２０との間で接続する。シグナリング種別毎の発呼シグナリングパターンは、図４の＊２で示す“０”に対応するシグナリングパターンである。例えば、ＰＯＴＳの場合には、変換後のシグナリングパターン(コード)が“１１１１”の場合に、ＳＥＴＵＰが送信される。
【００７１】
〈監視・制御方式変換〉
図５及び図６は、ＴＲ−００８のeoc/Indicator Bits に直接変換できないｉＩＳＤＮのサービス(CMISE Service)に対するＩＳＤＮプロトコル変換処理を示す表であり、図７及び図８は、ＴＲ−００８に規定されていないCMISE Attributeに対するＩＳＤＮプロトコル変換処理を示す表である。図５,６,７,８に示されたＩＳＤＮプロトコル変換処理は、ＥＯＣ変換部Ｈによって実施される。
【００７２】
ＥＯＣ変換部Ｈは、ＩＳＤＮプロトコル変換処理において、全てのパフォーマンス・モニタリング・データ(３４種)をeocで収集するのではなく、Current Count(１０種)のみを収集対象とし、Previous 及び History Count については加入者端局装置側で Current Count を蓄積する(図７及び図８参照)。これによって、Ｕ点のパフォーマンスモニタリングデータを収集するための時間を短縮する。
【００７３】
〈具体例〉
図９は、図２に示した加入者端局装置１００の具体例としてのゲートウェイ加入者端局装置２００の運用例を示す図であり、図１０は、図９に示したゲートウェイ加入者端局装置２００の構成例を示す図である。
【００７４】
ゲートウェイ加入者端局装置２００は、電話(ＰＯＴＳ／ＰＢＸ)，モデム(ＭＯＤＥＭ)，データ端末，及びＩＳＤＮを加入者として収容する統合型アクセス装置(ＴＲ−００８ＩＡＤ)１１０を収容し、ＳＯＮＥＴ回線を通じて音声サービスを提供する市内交換機(ＴＲ−３０３交換機)１２０と、データ系のサービスを提供するＤＣＳ１２１とに接続されている。
【００７５】
ゲートウェイ加入者端局装置２００は、統合型アクセス装置１１０に収容された音声系の加入者(ＰＯＴＳ／ＰＢＸ，ＩＳＤＮ)がＴＲ−３０３交換機１２０からのサービスを受けられるようにするため、ＴＲ−３０３／ＴＲ−００８インターフェイス変換部，ＴＲ−３０３ＲＤＴ部，及びＳＯＮＥＴマルチプレクサ(ＳＯＮＥＴ多重部)を有している。
【００７６】
具体的には、ゲートウェイ加入者端局装置２００は、図１０に示すように、複数のＳＯＮＥＴ多重部１と、各ＳＯＮＥＴ多重部１に接続されたＶＴ１．５クロスコネクト部／ＶＴ１．５パス終端部２と、複数のＤＳ１ライン終端部３と、ＤＳ１ライン終端部３に接続されたセレクタ４と、セレクタ４に接続されたＤＳ１パス終端部５と、ＤＳ１パス終端部５に接続されたＤＳ０分離／多重部６と、ＤＳ０分離／多重部６に接続されたＩＳＤＮオーバヘッド終端部７と、ＤＳ０分離／多重部６に接続されたシグナリング変換部８と、ＤＳ０分離／多重部６に接続された加入者クロスコネクト部９と、ＤＳ１パス終端部５，ＩＳＤＮオーバヘッド終端部７，シグナリング変換部８に接続されたＭＰＵ１０と、加入者クロスコネクト部９に接続されたＴＲ−３０３ＲＤＴ部１１と、ＴＲ−３０３ＲＤＴ部１１に接続されたＤＳ１クロスコネクト部１２と、ＤＳ１クロスコネクト部１２に接続され且つＶＴ１．５クロスコネクト部／ＶＴ１．５パス終端部２に接続されたＤＳ１パス終端部１３とを備えている。
【００７７】
各ＳＯＮＥＴ多重部１は、下り方向において、ネットワーク側(交換機１２０型)のＯＣ−３またはＯＣ−１２信号を終端し、ＯＣ−３又はＯＣ−１２信号を複数のＶＴ１．５のパス(８４本のＶＴ１．５信号)に分離し、ＶＴ１．５クロスコネクト部／ＶＴ１．５パス終端部２に送出する。
【００７８】
一方、各ＳＯＮＥＴ多重部１は、上り方向において、複数のＶＴ１．５のパスを多重してＯＣ−３又はＯＣ−１２信号を生成し、ネットワークへ送出する。図９にて各ＳＯＮＥＴ多重部１に付与された＃１と＃２とは、ＳＯＮＥＴ回線がＵＰＳＲリング構成を構築する場合のそれぞれの光インターフェースを示す。
【００７９】
ＶＴ１．５パス終端部／ＶＴ１．５クロス・コネクト部２は、下り方向において、交換機１２０との間のＶＴ１．５のパスを終端し、出方路が一致する複数のＶＴ１．５信号の束(２８／５６本のＶＴ１．５信号)に分離し、その出方路に従ってセレクタ４又はＤＳ１パス終端部１３に送出する。一方、ＶＴ１．５パス終端部／ＶＴ１．５クロス・コネクト部２は、上り方向において、出方路が一致する２８／５６本のＶＴ１．５信号を多重したＶＴ１．５のパスを生成し、出方路に対応するＳＯＮＥＴ多重部１へ送出する。
【００８０】
ＤＳ１ライン終端部３は、ＤＳＸ−１又はＴ１の信号インターフェイスを有し、上り方向において、ゲートウェイ加入者端局装置２００と統合型アクセス装置１１０との間の伝送信号を終端する。
【００８１】
セレクタ４は、ユーザからの設定に従い、ＤＳ１ライン終端部３で終端されたＤＳ１信号について、以下のいずれかを行う。
(ａ)ＶＴ１．５クロスコネクト部／ＶＴ１．５パス終端部２に接続
(ｂ)ＤＳ１パス終端部５に接続
(ｃ)未接続(初期値)
統合型アクセス装置１１０からゲートウェイ加入者端局装置２００に入力される伝送信号は、データ系信号(ＤＳ０に分割できず、交換機１２０に収容されない)と、音声系信号(ＤＳ０に分割でき、交換機に収容される)との一方である。
【００８２】
セレクタ４は、ユーザの設定に従い、伝送信号がデータ系信号である場合には、このデータ系信号をＶＴ１．５クロスコネクト部／ＶＴ１．５パス終端部２に接続し、伝送信号が音声系信号である場合には、ＤＳ１パス終端部５に接続する。  また、ＤＳ１が未使用である(統合型アクセス装置１１０に接続されていない)場合には未接続とする。セレクタ４に対するユーザ設定は、ＭＰＵ１０を介して行われる。図９に示したセレクタ４中に示された破線は、データ系信号の接続の例を示し、実線は音声系信号の接続の例を示す。
【００８３】
ＤＳ１パス終端部５は、ゲートウェイ加入者端局装置２００と統合型アクセス装置１１０との間のＤＳ１パスを終端し、ＤＳ１パス中の複数のＤＳ０をＤＳ０分離／多重部６に出力する。ＤＳ１パス終端部５は、ＤＳ１ Line/Path 障害の検出，ＤＳ１データ・リンクの終端及び対局警報の検出，Robbed Bit Signalingの抽出を行う。抽出されたRobbed Bit Signaling はＤＳ０と共にＤＳ０分離／多重部６に出力される。このＤＳ１パス終端部５は、図２に示したＩＡＤ間伝送信号終端部Ａに相当し、本発明の統合型アクセス装置側終端部に相当する。
【００８４】
ＤＳ０分離／多重部６は、ＤＳ１を複数のＤＳ０に分離する。また、ＤＳ０分離／多重部６は、ＤＳ０に含まれたRobbed Bit Signalingを抽出する。さらに、ＤＳ０分離／多重部６は、ＩＳＤＮ Ｄ＋チャネルを終端する。このＤＳ０分離／多重部６は、図２に示したＤＳ０分離／多重部Ｂに相当し、本発明の分離部に相当する。
【００８５】
ＩＳＤＮオーバヘッド終端部７は、ＤＳ０分離／多重部６で終端されたＤ＋チャネルからeocおよびIndicator Bitsを抽出し、ＭＰＵ１０に通知する。この処理に必要な回線種別及びチャネル種別はユーザがＭＰＵ１０を介してＩＳＤＮオーバヘッド終端部７に設定される。このＩＳＤＮオーバヘッド終端部７は、図２に示したＩＳＤＮオーバヘッド終端部Ｇに相当する。
【００８６】
シグナリング変換部８は、ＤＳ０分離／多重部６から入力されるＴＲ−００８のRobbed Bit Signalingを、図４に示す変換表に従ってＴＲ−３０３に変換し、再びＤＳ０分離／多重部６に出力する。一方、シグナリング変換部８は、ＤＳ０分離／多重部６から入力されるＴＲ−３０３のRobbed Bit Signalingを、図３に示す変換表に従ってＴＲ−００８に変換し、再びＤＳ０分離／多重部６に出力する。シグナリング変換に必要な回線種別およびSignaling 種別はユーザがＭＰＵ１０を介して設定する。シグナリング変換部８は、図２に示したシグナリング変換部Ｃに相当する。
【００８７】
加入者クロスコネクト部９は、ＦＲＯＭ側の端点とＴＯ側の端点とを有する。ＦＲＯＭ側の端点は交換機側の端点であり、ＴＯ側の端点は加入者側の端点である。本実施形態では、ＴＯ側の端点は、以下のいずれかを選択する。
(ａ)ゲートウェイ加入者端局装置２００に直接収容された加入者
(ｂ)統合型アクセス装置１１０によって収容されたＤＳ０の加入者
(ｃ)未接続（初期値）
図９の加入者クロスコネクト部９中に示された点線の接続は、ゲートウェイ加入者端局装置２００に直接収容された加入者線(銅線)をＴＲ−３０３ＲＤＴ部１１の所定のＣＲＶに接続する場合の例を示す。これに対し、加入者クロスコネクト部９内に示された実線は、統合型アクセス装置１１０に収容された加入者線(ＤＳ０)を所定のＣＲＶに接続する場合の例を示す。どの加入者線をどのＣＲＶに接続するかは、ユーザがＭＰＵ１０を介して設定する。この加入者クロスコネクト部９が、図２に示した加入者接続部Ｄに相当する。
【００８８】
ＭＰＵ１０は、複数のマイクロ・プロセッサで構成されるファームウェアである。ＭＰＵ１０は、ＲＳ−２３２ローカル・ポート(データ端末が接続される)，ＲＳ−２３２Ｃモデム・ポート(モデムが接続される)，ＲＳ−４８５ポート，１０ＢＡＳＥ−Ｔポート(ＬＣＮ（監視装置用ＬＡＮ）が接続される)，及び遠隔操作の為のＳＯＮＥＴ ＤＣＣのうちの少なくとも１つを、ゲートウェイ加入者端局装置２００のユーザが設定及び装置状態の照会等を行うためのユーザ・インターフェイスとして提供し、これらによってユーザからの設定を受け付ける。
【００８９】
ユーザは、ＭＰＵ１０からユーザ・インターフェイスを介して、回線種別，シグナリング種別，ＩＳＤＮオーバヘッドプロトコル変換(ＤＳ＋チャネルに対する設定)，伝送路障害に対する設定，セレクタ４及び加入者クロスコネクト部９に対する設定を行う。ユーザは、例えばＭＰＵ１０からユーザ・インターフェイスとして提供されるＴＬ−１を用いて各種の設定を行うことができる。
【００９０】
ユーザによる設定は、ゲートウェイ加入者端局装置２００内で終端され、統合型アクセス装置１１０や交換機１２０に分配されることはない。対向装置(統合型アクセス装置１１０，交換機１２０)について必要なユーザ設定は、この対向装置に対して独立に設定することができる。
【００９１】
また、ＭＰＵ１０は、ユーザによる設定に従い、交換機１２０との間のＥＯＣ／ＴＭＣメッセージの解析・生成、ゲートウェイ加入者端局装置２００内部での制御・状態収集、ＴＭＣの呼制御も行う。このＭＰＵ１０が、図２に示したＥＯＣ変換部Ｈに相当する。
【００９２】
ＴＲ−３０３ＲＤＴ部１１は、接続された加入者に対してＴＭＣ呼制御によりタイムスロットの接続及び切断を行う。本実施形態では、ＴＲ−３０３ＲＤＴ部１１は４つ設けられており、加入者（ＴＯ）側で最大２０１６の加入者を収容し(２０１６のＣＲＶを持つ)、交換機（ＦＲＯＭ）側で最大６７２のＤＳ０を収容する動的なクロス・コネクトで実現される。
【００９３】
また、ＴＲ−３０３ＲＤＴ部１１は、ＥＯＣ／ＴＭＣデータ・リンクを終端し、ＥＯＣデータ・リンクを介して監視制御を行う。このＴＲ−３０３ＲＤＴ部１１が、図２に示したＴＲ−３０３ＲＤＴ部Ｅに相当し、本発明の呼制御部に相当する。
【００９４】
ＤＳ１クロス・コネクト部１２は、ＴＲ−３０３ＲＤＴ部１１から出力される１つのＴＲ−３０３ＲＤＴ当り６７２本のＤＳ０を２４本ずつならべたもの(ＤＳ１)を、ＳＯＮＥＴ上のいずれかのＶＴ１．５にマッピングする。これによって、ＤＳ１の論理回線とＳＯＮＥＴの物理回線との対応が図られる。
【００９５】
ＤＳ１パス終端部１３は、交換機１２０との間のＤＳ１パスを終端する。ＤＳ１パス終端部１３が、図２に示した交換機間伝送信号終端部Ｆに相当する。
【００９６】
〈ユーザ設定〉
本実施形態において、ユーザ設定は、ＭＰＵ１０によって実現されるユーザ・インターフェースを介して下記のＴＬ−１コマンドによって実現される。
（設定１）セレクタ４の設定
0004451573.tif 000002
ＴＩＤ：
設定対象の加入者端局装置２００の名称を示すＡＳＣＩＩ文字例である。
ＡＩＤ：
設定対象の統合型アクセス装置１１０間の物理伝送路の識別情報であり、<LG#>-<VTG#>-<VT#>という形式で表記される。ここに、 <LG#> =[4,5]は、スロット位置を示し、 <VTG#>=[1..7],<VT#>=[1..4]は該当するスロットにおけるＤＳ１位置を示す。
ＫＥＹＷＯＲＤ＝ＤＯＭＡＩＮ：
物理伝送路に対する設定項目および設定値を示す。本コマンドで提供される設定項目および設定値は、以下のＴＹＰＥ及びＤＤＬである。
ＴＹＰＥ＝｛ＤＳ０，ＤＳ１，ＮＯＮＥ｝は、セレクタ４の設定に使用される。ユーザは、伝送信号が音声系信号を搬送しているならばＤＳ０を、データ系信号を搬送しているならばＤＳ１を、未使用であればＮＯＮＥ（未接続）を指定する。
ＤＤＬ＝｛ＹＥＳ，ＮＯ｝は、伝送信号がデータ・リンクを搬送しているか否かを示す。ユーザは、伝送信号がＳＬＣ−９６フレーム・フォーマットを使用しかつＡ  ＬｉｎｅであればＹＥＳを、それ以外はＮＯを指定する。
【００９７】
なお、ユーザは、設定をＲＴＲＶ−ＶＴ１コマンドで参照することができる。
（設定２）回線種別の設定
0004451573.tif 000003
ＴＩＤ：
設定対象となる加入者端局装置名を示すＡＳＣＩＩ文字列
ＡＩＤ：
設定対象となる統合型アクセス装置間のＤＳ０の識別子であり、<LG#>-<VTG#>-<VT#>-<DS0#>という形式で表記される。ここで、<LG#>，<VTG#>，及び<VT#>は、上記(設定１)と同様であり、<DS0#>=[1...24]で該当するＤＳ１上のＤＳ０の位置を示す。
ＫＥＹＷＯＲＤ=ＤＯＭＡＩＮ:
ＤＳ０に対する設定項目及び設定値を示す。本コマンドで提供される設定項目及び設定値は、
GSFN=[SINGLE-PARTY,UVG-LS,UVG-GS,COIN-DTF,COIN-CF,ANI2,DID-DPT,DID-DPO,FXO-LS,FXO-GS,FXS-LS,FXS-GS,TDM-FXS,TDM-FXO,TDM-E&M,DX,E&M,PLR,ISDN,DDS]回線種別及びアナログ回線の場合にはシグナリング種別を指定する。設定値と回線種別及びシグナリング種別の対応関係は、図３及び図４に示される。
CGA=[ONHK,OFFHK,EBSY] 閉塞(Trunk Conditioning)時に加入者線をどのような状態にするかの設定は、ＥＮＴ−Ｔ０又はＥＤ−Ｔ０コマンドで行う。ＥＮＴ−Ｔ０コマンドは、該当するＤＳ０をサービス中(In Service)に設定し、ＥＤ−Ｔ０コマンドは、設定変更のみでサービス状態を維持する。ＤＬＴ−Ｔ０コマンドは、サービス停止中(Out of Service)に設定する。ＲＴＲＶ−Ｔ０コマンドは、設定状態を参照する。
（設定３）ＴＲ−３０３ＲＤＴ部１１への加入者クロスコネクト及びＩＳＤＮ  Ｄ＋チャネルの識別
0004451573.tif 000004
ＴＩＤ：
設定対象となる加入者端局装置名を示すＡＳＣＩＩ文字列
ＦＲＯＭＡＩＤ：
ＴＲ−３０３ＲＤＴ部１１のＣＲＶを指定するものであり、RDT303-<IG#>-<CRV#>-<CH TYPE>という形式で表記される。ここで、<IG#>=[1...4]は、ＴＲ−３０３ＲＤＴ部１１の番号を示す。<CRV#>=[1...2016]は、任意のＴＲ−３０３ＲＤＴ部１１のＣＲＶ(電話番号に相当する加入者識別番号)を示す。<CH TYPE>=[B1/B2/D/P/S]によって、Ｔ０ＡＩＤで指定されるＤＳ０の回線種別がＩＳＤＮ／ＤＤＳの場合にのみ有効となる。
ＴＯＡＩＤ：
収容される統合型アクセス装置１１０のＤＳ０を指定する情報であり、<LG#>-<VTG#>-<VT#>-<DS0#>という形式で表記される。ここで、<LG#>，<VTG#>，<VT#>，<DS0#>は、上記した(設定２)と同じである。
接続は、ENT-CRS-T0コマンドで行う。DLT-CRS-T0コマンドは指定した接続を切断する。RTRV-CRS-T0コマンドは、接続状態を参照する。
【００９８】
〈ＥＯＣ変換〉
TR-303 Supplement 3 で規定される情報モデル(Managed Object及びそれに付随するService)との対応関係を以下に示す。
(１)統合型アクセス装置１１０間の伝送路障害
伝送路障害の発生及び復旧時に影響を受けるManaged Objectは、analogLineTermination 及び isdnLineTermination である。これらのManaged Objectは、primaryServiceState 及び secondaryServiceState という Attribute (加入者サービス状態情報に相当)を有し、障害発生時は、primaryServiceState=[oos],secondaryServiceState=[mt,fef]に設定される。これに対し、障害復旧時は、primaryServiceState=[is],secondaryServiceState=[](empty)に設定される。
【００９９】
即ち、各ＤＳ１パス終端部５は、統合型アクセス装置１１０とゲートウェイ加入者端局装置２００との間の伝送路を監視し、この伝送路の障害を検出する。或いは、ＤＳ１パス終端部５は、対向装置(統合型アクセス装置１１０)にて検出された当該伝送路の障害情報をデータ・リンクを介して受け取る。
【０１００】
ＤＳ１パス終端部５が伝送路の障害を検出すると、ＭＰＵ１０は、障害が発生した伝送路上の伝送信号によって搬送される加入者のサービス状態(障害が発生した伝送路に対応するＴＲ−３０３ＲＤＴ部１１のＣＲＶ)を自発的にOUT OF SERVICE(サービス停止)に設定する。これに対し、ＤＳ１パス終端部５が上記伝送路の障害の復旧を検出すると、ＭＰＵ１０は、復旧した伝送路に対応するＣＲＶのサービス状態をIN SERVICE(サービス中)に設定する。
【０１０１】
これらの Attribute は交換機１２０から M-GET により参照可能である。一方、上記したＣＲＶのサービス状態の変化は、ゲートウェイ加入者端局装置２００のＴＲ−３０３ＲＤＴ部１１から交換機１２０に M-EVENT-REPORT を用いて通知される。
(２)ＩＳＤＮオーバヘッドプロトコル変換
影響を受ける Managed Object は、isdnLineTermination と isdnFramedPathTermination である。プロトコル変換とこれらの Managed Object の対応については図５,６,７に示す。
【０１０２】
即ち、ＩＳＤＮオーバヘッド終端部７によって抽出されたeoc及びIndicator Bitsは、ＭＰＵ１０に渡される。ＭＰＵ１０は、受け取ったeoc/Indicator Bitsを対応するＥＯＣメッセージに変換する。この変換によって得られたＥＯＣメッセージは、ＴＲ−３０３ＲＤＴ部１１によって、ＥＯＣデータ・リンクを通じて交換機１２０に通知される。
【０１０３】
なお、本実施形態では、ＴＲ−００８とＴＲ−３０３との間でのインターフェイス変換について説明したが、本実施形態によるゲートウェイ加入者端局装置２００は、ＴＲ−００８とＧＲ−３０３との間でのインターフェイス変換を行う装置として構成することもできる。このときの構成は、上記した実施形態とほぼ同様である。
【０１０４】
実施形態によれば、ＴＲ−００８インターフェイスしか持たない統合型アクセス装置１１０に収容される加入者を、ＴＲ／ＧＲ−３０３交換機１２０に収容し、サービスを提供することが可能となる。
【０１０５】
さらに、ユーザ設定等の装置及びサービス運用・管理をゲートウェイ加入者端局装置２００及び統合型アクセス装置１１０が夫々独立して行うことができるため、接続される統合型アクセス装置１１０の仕様に依存してゲートウェイ加入者端局装置２００のハードウェアやファームウェアを変更するという手間もない。
【０１０６】
加えて、ゲートウェイ加入者端局装置２００に直接収容される加入者と統合型アクセス装置１１０に収容される加入者が同じＴＲ／ＧＲ−３０３ＲＤＴ部１１内に共存できるため、効率の良い加入者収容を実現することができる。
【０１０７】
本実施形態は、ＴＲ−００８方式で別の装置に収容される加入者に対して、ＴＲ−３０３に直接収容される加入者と同じ品質のサービスを提供することを可能にする。
【０１０８】
〔その他〕
本発明は、以下のように特定することができる。
（付記１）相互に異なるインターフェイスを持つ交換機と統合型アクセス装置との間に設けられ、前記交換機と前記統合型アクセス装置とを相互接続するためのインターフェイス変換を行うゲートウェイ加入者端局装置。
（付記２）付記１において、ゲートウェイ加入者端局装置は、電話，モデム，ＩＳＤＮのうちの少なくとも１つを加入者として収容し且つＴＲ−００８インターフェイスを実装する統合型アクセス装置を収容するとともに、前記加入者をＴＲ−３０３又はＧＲ−３０３インターフェイスを実装する交換機に接続する。
（付記３）付記２記載のゲートウェイ加入者端局装置であって、前記統合型アクセス装置からの伝送信号を終端する統合アクセス装置側終端部と、終端された伝送信号を複数のＤＳ０信号に分離する分離部と、ＴＲ−３０３又はＧＲ−３０３に準拠し前記ＤＳ０信号を前記交換機へ送出するための複数の加入者ポートを有するＴＲ／ＧＲ−３０３ＲＤＴ部とを含み、前記インターフェイス変換は１以上のＤＳ０信号毎に行われる。
（付記４）付記２又は３記載のゲートウェイ加入者端局装置であって、加入者線信号(シグナリング)方式をＴＲ−００８とＴＲ−３０３又はＧＲ−３０３との間で変換するシグナリング変換部を含む。
（付記５）付記４記載のゲートウェイ加入者端局装置であって、前記シグナリング変換部は、前記交換機と前記統合型アクセス装置との間を伝送されるＤＳ０信号からシグナリング情報を抽出し、抽出したシグナリング情報をＴＲ−００８とＴＲ−３０３又はＧＲ−３０３との間で変換し、変換されたシグナリング情報を前記ＤＳ０信号に挿入する。
（付記６）付記５記載のゲートウェイ加入者端局装置であって、ＴＲ−３０３又はＧＲ−３０３形式のシグナリング情報は３ミリ秒毎に出力される４ビットパターンで表現され、ＴＲ−００８形式のシグナリング情報は１．５ミリ秒毎に出力される２ビットパターンで表現され、前記シグナリング変換部はＴＲ−００８形式のシグナリング情報を３ミリ秒間に出力される２つの２ビットパターンに変換することによってＴＲ−００８形式のシグナリング情報をＴＲ−３０３又はＧＲ−３０３形式のシグナリング情報に変換する。
（付記７）付記５又は６記載のゲートウェイ加入者端局装置であって、前記シグナリング変換部は、ＤＳ０信号の回線種別及びシグナリング種別に従って前記シグナリング方式を変換する。
（付記８）付記５〜７の何れかに記載のゲートウェイ加入者端局装置であって、ＴＲ−３０３又はＧＲ−３０３に従って前記交換機との間でＤＳ０信号の呼制御を行う呼制御部をさらに含み、ＴＲ−３０３又はＧＲ−３０３はＤＳ０信号のタイムスロットを接続するためのメッセージに従ってそのメッセージの送信元と送信先との間で前記タイムスロットが接続されることを規定し、前記呼制御部は制御対象のＤＳ０信号がＴＲ−３０３又はＧＲ−３０３形式に変換されたシグナリング情報を含みこのシグナリング情報が前記加入者のオフフック状態を示す場合に、前記タイムスロットを接続するためのメッセージを前記交換機へ送出する。
（付記９）付記２〜８の何れかに記載のゲートウェイ加入者端局装置であって、ＤＳ０信号に含まれたＩＳＤＮ＋Ｄチャネル上のオーバヘッド情報のプロトコルをＴＲ−００８とＴＲ−３０３又はＧＲ−３０３との間で変換するＩＳＤＮオーバヘッド変換部をさらに含む。
（付記１０）付記９記載のゲートウェイ加入者端局装置であって、前記ＩＳＤＮオーバヘッド変換部は、前記統合型アクセス装置からのＤＳ０信号によって搬送される回線の種別がＩＳＤＮであり且つこのＤＳ０信号がＤ＋チャネルを搬送する場合に、このＤＳ０信号に含まれたＩＳＤＮオーバヘッド情報から監視制御情報を抽出し、抽出した監視制御情報の形式をＴＲ−３０３又はＧＲ−３０３形式に変換する。
（付記１１）付記９又は１０記載のゲートウェイ加入者端局装置であって、前記交換機からのＤＳ０信号によって搬送される回線の種別がＩＳＤＮであり且つこのＤＳ０信号がＤ＋チャネルを搬送する場合に、このＤＳ０信号に含まれたＩＳＤＮオーバヘッド情報から監視制御情報を抽出し、抽出した監視制御情報の形式をＴＲ−００８に従った形式に変換する。
（付記１２）付記２〜１１の何れかに記載のゲートウェイ加入者端局装置であって、前記統合型アクセス装置と前記加入者端局装置との間の伝送路障害を検出する障害検出部と、検出した障害を前記交換機に通知される加入者サービス状態情報に変換するサービス状態情報変換部とをさらに含み、前記加入者サービス状態情報は前記交換機に通知される。
（付記１３）付記１２記載のゲートウェイ加入者端局装置であって、前記サービス状態情報変換部は、前記伝送路障害が検出された場合に、この伝送路上を伝送される伝送信号によって前記交換機に搬送されるサービスの状態を停止状態に設定し、このサービス停止状態を示す加入者サービス状態情報が前記交換機に通知される。
（付記１４）付記１３記載のゲートウェイ加入者端局装置であって、前記障害検出部は、前記伝送路障害の復旧を検出し、前記サービス状態情報変換部は、前記復旧が検出された場合に、復旧した伝送路上を伝送される伝送信号によって前記交換機に搬送されるサービスの状態をサービス中に設定し、このサービス中の状態を示す加入者サービス状態情報が前記交換機に通知される。
（付記１５）付記３記載のゲートウェイ加入者端局装置であって、前記統合型アクセス装置からのＤＳ０信号と前記ゲートウェイ加入者端局装置に直接収容された加入者線とを、所定の加入者ポートに接続する加入者クロスコネクト部をさらに含む。
（付記１６）付記７記載のゲートウェイ加入者端局装置であって、ＤＳ０単位に前記回線種別及びシグナリング種別がゲートウェイ加入者端局装置のユーザによって設定される。
（付記１７）付記１０又は１１記載のゲートウェイ加入者端局装置であって、ＤＳ０信号によって搬送される回線の種別がＩＳＤＮである場合に、そのＤＳ０信号がＤ＋チャネルを搬送するか否かが前記ゲートウェイ加入者端局装置のユーザによって設定される。
（付記１８）付記１２〜１４の何れかに記載のゲートウェイ加入者端局装置であって、前記サービス状態情報変換部は、ゲートウェイ加入者端局装置のユーザの設定に従ったサービス状態を加入者サービス状態情報に設定する。
（付記１９）付記１５記載のゲートウェイ加入者端局装置であって、前記加入者クロスコネクト部は、ゲートウェイ加入者端局装置のユーザの設定に従って前記ＤＳ０信号及び前記加入者線を所定の加入者ポートに接続する。
【０１０９】
【発明の効果】
本発明によるゲートウェイ加入者端局装置によれば、相互に異なるインターフェイス規格に準拠した統合型アクセス装置と交換機との間のインターフェイス変換を行うことによって、交換機と統合型アクセス装置とを相互接続できる。これによって、統合型アクセス装置に収容された加入者が、交換機からのサービスを利用可能になる。
【図面の簡単な説明】
【図１】(Ａ)は、ＰＯＴＳサービスにおけるＴＲ−００８シグナリングを示す表であり、(Ｂ)は、ＰＯＴＳサービスにおけるＴＲ−３０３シグナリングを示す表である。
【図２】本発明によるゲートウェイ加入者端局装置の実施形態を示す図
【図３】Robbed Bit Signaling変換における対応関係を示す表
【図４】Robbed Bit Signaling変換における対応関係を示す表
【図５】CMISE Service とＩＳＤＮプロトコル変換との対応関係を示す表
【図６】CMISE Service とＩＳＤＮプロトコル変換との対応関係(ISDN FPT)を示す表
【図７】CMISE Attribute とＩＳＤＮプロトコル変換との対応関係(ISDN FPT)を示す表
【図８】CMISE Attribute とＩＳＤＮプロトコル変換との対応関係(ISDN FPT)を示す表
【図９】図２に示した実施形態の具体例を示す図
【図１０】図２に示した実施形態の具体例を示す図
【図１１】従来技術の説明図
【符号の説明】
Ａ  ＩＡＤ間伝送信号終端部
Ｂ，６  ＤＳ０分離／多重部
Ｃ，８  Signaling変換部
Ｄ  加入者接続部
Ｅ，１１  ＴＲ−３０３ＲＤＴ部
Ｆ  交換機間伝送信号終端部
Ｇ，７  ＩＳＤＮオーバヘッド終端部
Ｈ  ＥＯＣ変換部
１  ＳＯＮＥＴ多重部
２  ＶＴ１．５クロスコネクト部／ＶＴ１．５パス終端部
３  ＤＳ１ライン終端部
４  セレクタ
５，１３  ＤＳ１パス終端部
９  加入者クロスコネクト部
１０  ＭＰＵ
１２  ＤＳ１クロスコネクト部
１００，２００  ゲートウェイ加入者端局装置
１１０  統合型アクセス装置
１２０  市内交換機
【図１】
0004451573.tif 000005
【図２】
0004451573.tif 000006
【図３】
0004451573.tif 000007
【図４】
0004451573.tif 000008
【図５】
0004451573.tif 000009
【図６】
0004451573.tif 000010
【図７】
0004451573.tif 000011
【図８】
0004451573.tif 000012
【図９】
0004451573.tif 000013
【図１０】
0004451573.tif 000014
【図１１】
0004451573.tif 000015